(57)【特許請求の範囲】
【請求項１】
被制御機器を制御するための制御ユニットを設けるためのケースである機器ケースに対する漏電安全装置の取り付け構造であって、
前記機器ケースには、前記漏電安全装置を鉛直上方から下方へ向けてスライドさせるスライド通路部と、前記漏電安全装置が前記スライド通路部を所定位置にまでスライドしたときに当該漏電安全装置に対して当該所定位置から下方へのスライドと上方へのスライドとを阻止するスライド阻止部とを備え、
前記スライド阻止部は、前記スライド通路部内外に退避進出可能な係止爪部を備え、この係止爪部を前記漏電安全装置が前記所定位置に到達するまでは前記スライド通路部外に退避させ、前記所定位置に到達すると前記スライド通路部内に進出させて前記漏電安全装置の上方へのスライドを阻止するものであり、
前記係止爪部は、前記漏電安全装置が前記所定位置に到達するまでは当該漏電安全装置により押圧されて前記スライド通路部外に弾性変形により退避し、前記漏電安全装置が前記所定位置に到達したときにその押圧を解除されて当該スライド通路部内に弾性復元するものであり、
前記係止爪部が弾性復元して漏電安全装置の上端に係止されて漏電安全装置の上方への移動を阻止し、
前記漏電安全装置の側面にそれぞれ備える突起部が、前記機器ケースに設けた一対の隆起部の係合溝部にそれぞれ係合されていることによって、前記漏電安全装置が、前後方向に移動不能に固定されている、ことを特徴とする漏電安全装置の取り付け構造。
【請求項２】
前記機器ケースにおける前記一対の隆起部の互いに対向する内端面と、この内端面にそれぞれ連なる状態で前記機器ケースに突設された案内リブとによって、漏電安全装置が左右に移動不能に固定される、ことを特徴とする請求項１に記載の漏電安全装置の取り付け構造。
【請求項３】
前記スライド阻止部は、前記漏電安全装置の側面に備える突起部がスライド挿入されるスライド溝部を備え、その突起部が前記スライド溝部の奥部に当接することにより前記漏電安全装置の前記所定位置から下方へのスライドを阻止する、ことを特徴とする請求項１または２に記載の漏電安全装置の取り付け構造。
【発明の詳細な説明】
【技術分野】
【０００１】
本発明は、各種電気制御機器に組み込まれる漏電安全装置の取り付け構造に関し、詳しくは被制御機器を制御するための制御ユニットを搭載、収納あるいは取り付けするためのケースである機器ケースに対する漏電安全装置の取り付け構造に関する。
【背景技術】
【０００２】
風呂釜付き給湯装置などの電気機器においては、一般に、漏電ブレーカなどの漏電安全装置が装備される（例えば、特許文献１参照。）。
【特許文献１】特開平８−２７３７１３号公報
【発明の開示】
【発明が解決しようとする課題】
【０００３】
漏電安全装置を制御機器に内装する場合、従来では漏電安全装置を機器ケースの所定位置に位置決めしてネジ止めするのが一般的であるが、制御機器の据付場所などによってはネジ止めしにくい場合があり、漏電安全装置の組付けや取り外しメンテナンスが困難になることがあった。
【課題を解決するための手段】
【０００６】
本発明は、被制御機器を制御するための制御ユニットを設けるためのケースである機器ケースに対する漏電安全装置の取り付け構造であって、前記機器ケースには、前記漏電安全装置を鉛直上方から下方へ向けてスライドさせるスライド通路部と、前記漏電安全装置が前記スライド通路部を所定位置にまでスライドしたときに当該漏電安全装置に対して当該所定位置から下方へのスライドと上方へのスライドとを阻止するスライド阻止部とを備え、前記スライド阻止部は、前記スライド通路部内外に退避進出可能な係止爪部を備え、この係止爪部を前記漏電安全装置が前記所定位置に到達するまでは前記スライド通路部外に退避させ、前記所定位置に到達すると前記スライド通路部内に進出させて前記漏電安全装置の上方へのスライドを阻止するものであり、前記係止爪部は、前記漏電安全装置が前記所定位置に到達するまでは当該漏電安全装置により押圧されて前記スライド通路部外に弾性変形により退避し、前記漏電安全装置が前記所定位置に到達したときにその押圧を解除されて当該スライド通路部内に弾性復元するものであり、前記係止爪部が弾性復元して漏電安全装置の上端に係止されて漏電安全装置の上方への移動を阻止し、前記漏電安全装置の側面にそれぞれ備える突起部が、前記機器ケースに設けた一対の隆起部の係合溝部にそれぞれ係合されていることによって、前記漏電安全装置が、前後方向に移動不能に固定されていることを特徴とするものである。
【０００７】
本発明によると、漏電安全装置を機器ケースのスライド通路部上を鉛直上方から下方に向けてスライドさせていき、当該スライド通路内の所定位置にまでスライドすると、漏電安全装置が当該所定位置からは、それ以上、下方へスライドしたり上方へスライドしたりすることをスライド阻止部により阻止することができる。したがって、機器ケースへの漏電安全装置の取り付けを簡単に行うことが可能となり、ネジ止め操作が行いにくいような据え付け条件でも漏電安全装置の組み付けやメンテナンスを容易に行うことができる。
また、本発明では、スライド阻止部は、スライド通路部内外に退避進出可能な係止爪部を備え、この係止爪部を前記漏電安全装置が所定位置に到達するまではスライド通路部外に退避させ、所定位置に到達するとスライド通路部内に進出させて前記漏電安全装置の上方へのスライドを阻止するものであるから、漏電安全装置をスライドさせるだけで係止爪部により自動的に漏電安全装置の上方へのスライドを阻止できて漏電安全装置の取り付けが容易となる。
また、本発明では、係止爪部は、漏電安全装置が所定位置に到達するまでは当該漏電安全装置により押圧されてスライド通路部外に弾性変形により退避し、漏電安全装置が所定位置に到達したときにその押圧を解除されて当該スライド通路部内に弾性復元するものであるから、簡単な構成となりコスト面で有利である。
本発明は、好ましくは、前記機器ケースにおける前記一対の隆起部の互いに対向する内端面と、この内端面にそれぞれ連なる状態で前記機器ケースに突設された案内リブとによって、漏電安全装置が左右に移動不能に固定される。
【０００８】
本発明は、好ましくは、前記スライド阻止部は、前記漏電安全装置の側面に備える突起部がスライド挿入されるスライド溝部を備え、その突起部が前記スライド溝部の奥部に当接することにより前記漏電安全装置の前記所定位置から下方へのスライドを阻止するように構成することができる。スライド阻止部をこのように構成した場合、上記突起部とスライド溝部との係合だけで、漏電安全装置をスライドさせることが可能となり、漏電安全装置の取り付けや取り外しが容易となる。
【発明を実施するための最良の形態】
【００１４】
以下、図面を参照して本発明の最良の形態に係る取り付け構造を詳細に説明する。この形態では、家庭用の温水装置に装備された制御機器に適用しているが、この適用範囲は、これに限定されるものではない。
【００１５】
図１を参照して、温水装置１は、バーナー２ａと熱交換器２ｂとからなる給湯用の加熱部２と、同じくバーナー３ａと熱交換器３ｂとからなる循環温水用の加熱部３とを備えている。この循環温水用の加熱部３には、循環往路４ａと循環復路４ｂとが接続されるとともに、循環復路４ｂには循環ポンプ５が備えられている。
【００１６】
給湯用加熱部２の上流部には、上水道につながる給水路６が接続されるとともに、下流部には給湯路７が接続され、この給湯路７には、台所や洗面所等に設置されるカラン８が接続されている。また、給湯路７には分岐通路９が設けられ、この分岐通路９は、電磁弁１０と逆止弁１１とを介して循環往路４ａに合流接続されている。
【００１７】
この温水装置１には制御機器１２が設けられている。この制御機器１２には、商用電源などの元電源が供給される漏電安全装置１３と、この漏電安全装置１３から電力が供給され、主として所定の安定化電圧を生成するなどして、温水装置１内で必要とする電源を供給する電源部１４と、この電源部１４から電力が供給され、温水装置１内の加熱部２，３や循環ポンプ５、電磁弁１０等の動作を、例えば主要部であるマイクロコンピュータなどによって制御するメインコントローラ１５とが含まれている。また、メインコントローラ１５にはこれと双方向通信が可能な遠隔コントローラ１６が一個もしくは複数個接続される。
【００１８】
すなわち、制御機器１２とは、温水装置１などの被制御機器を制御するための制御ユニット（メインコントローラ１５へ電源を供給する電源部１４も含む）のことである。
【００１９】
図２を参照して、制御機器１２の構成を説明すると、機器ケース２１は前面が開放された箱状に樹脂成形され、左右上下の周壁２１ａと左右方向等間隔に設けられた２つの仕切壁２２，２２とによって区画されてなる収納室２３ａ，２３ｂ，２３ｃを備える。各収納室２３ａ，２３ｂ，２３ｃそれぞれには、漏電安全装置１３、電源部１４、メインコントローラ１５それぞれが収納されている。収納室２３ａの右奥下部の前面に遠隔コントローラ電装線接続用の端子台２４がネジ止めされている。
【００２０】
なお、機器ケース２１とは、被制御機器を制御するための制御ユニットを搭載、収納あるいは取り付けするためのケースのことである。
【００２１】
漏電安全装置１３は、少なくとも、元電源と接続される電源入力端子と、電源部１４またはメインコントローラ１５（電源部１４とメインコントローラ１５とは１枚のプリント基板で一体的に構成される場合もある）と接続される電源出力端子と、この電源出力端子より下流側の電路の漏電を検知する漏電検知回路と、該漏電検知回路において漏電が検知された際に作動して、電源入力端子から電源出力端子に至る電路を遮断するスイッチ（図示省略）とを備えている。
【００２２】
漏電安全装置１３は、前記漏電検知回路や前記スイッチを含む漏電ブレーカを収納した樹脂製のケース（以下、ブレーカケースという）２５を備えるとともに、下部前面に電装線端子台２６（前記電源入力端子、前記電源出力端子を有する）を備える。電装線端子台２６には、外部電源に接続する入力用電装線２７、電源部１４に接続する出力用電装線２８、およびアース電装線２９が導出されている。２７ａは、入力用電装線２７に接続されるプラグである。
【００２３】
ブレーカケース２５の左右側面には、二股舌片状の突起部３１，３１が設けられている。両突起部３１，３１それぞれには、ネジ挿通用の凹部３７，３７が切欠き形成されている。一方、機器ケース２１の収納室２３ａの左右内壁面にはＬ字形状の隆起部３２，３２が形成されている。右側の隆起部３２の上方にはネジ孔３８が形成されている。
【００２４】
機器ケース２１の収納室２３aにおいて、両隆起部３２，３２間における当該収納室２３ａの底面上に、その鉛直上方側から下方側にかけて、漏電安全装置１３が鉛直上方側から下方側にスライドするためのスライド通路部２３ｄが形成されている。ブレーカケース２５の突起部３１，３１は、このスライド通路部２３ｄ内に位置している。収納室２３aの隆起部３２，３２は、スライドしてきたブレーカケース２５の突起部３１，３１が入り込めるスライド溝部３３，３３を備えている。両隆起部３２，３２の互いに対向する内端面ｓ，ｓは、漏電安全装置１３を左右方向に位置決め案内する案内面ｓ，ｓとなり、この案内面ｓ，ｓに連なる案内リブ３４，３４が下方に向けて突設されている。
【００２５】
収納室２３ａの底面における上端中央には、組み付けられた漏電安全装置１３が上方にスライドして係合が外れるのを阻止するスライド阻止部の一例として、係止爪部３５が備えられている。この係止爪部３５は、収納室２３ａの底面に下向き片持ちの形態で一体的に形成されたものであり、その先端係止部３５ａは収納室２３ａの底面より前方に少し突出されている。
【００２６】
図３ないし図５を参照して機器ケース２１の収納室２３ａへの漏電安全装置１３の取り付けを説明する。
【００２７】
先ず、図３で示すように漏電安全装置１３を機器ケース２１の収納室２３ａの上部に矢印Ａ１で示すように前面から水平方向に挿入し、漏電安全装置１３を収納室２３aの隆起部３２，３２の対向間に嵌め入れた状態で漏電安全装置１３を収納室２３ａにおけるスライド通路部２３ｄに押し付ける。この押し付けによって、収納室２３ａ側のスライド阻止部としての係止爪部３５の先端係止部３５ａが漏電安全装置１３により押されて、係止爪部３５は図４で示すようにその背面側に弾性変形してスライド通路部２３ｄ外に退避する。
【００２８】
次に、漏電安全装置１３を収納室２３ａの底面に沿って図３の矢印Ａ２で示すように押し下げてブレーカケース２５の突起部３１，３１を隆起部３２，３２の係合溝部３３，３３にスライドさせて係合させる。この場合、両隆起部３２，３２の互いに対向する内端面ｓ，ｓおよびこれに連なる案内リブ３４，３４によって漏電安全装置１３を左右方向にガタツキなく位置決めしてスライド案内することができる。
【００２９】
漏電安全装置１３がスライドして、スライド通路部２３ｄ内の所定位置、すなわち、収納室２３ａの下端に形成された受止め部３６にまで到達すると、収納室２３ａ側の係止爪部３５の先端係止部３５ａが漏電安全装置１３の上端から露出し、図５に示すように、係止爪部３５が前方に弾性復元してスライド通路部２３ｄ内に進出することで先端係止部３５ａが漏電安全装置１３の上端に係止され、漏電安全装置１３の上方へのスライドが阻止される。この係止爪部３５による漏電安全装置１３の上方へのスライド阻止と、受止め部３６による漏電安全装置１３の下方への移動阻止とにより、漏電安全装置１３は、収納室２３ａに上下に移動不能に固定される。また、両隆起部３２，３２の互いに対向する内端面ｓ，ｓおよびこれに連なる案内リブ３４，３４によって、漏電安全装置１３は、左右に移動不能に固定される。また、ブレーカケース２５の突起部３１，３１が隆起部３２，３２の係合溝部３３，３３に係合されていることによって、漏電安全装置１３は、前後に移動不能に固定される。
【００３０】
なお、この取り付け状態において、機器ケース側の係止爪部３５を手指などで前方から押し込み変形させて漏電安全装置１３の上端への係止を解除することで、漏電安全装置１３を上方にスライド移動させて収納室２３ａ外に抜き出せる。
【００３１】
また、強固に漏電安全装置１３を固定する必要がある場合などは、左側のブレーカケース２５の突起部３１の下側一部を左側の機器ケース２１の隆起部３２のスライド溝部３３に係合させた状態で、右側の漏電安全装置側係合部３１をネジ孔３８に装着したネジで締め付け固定することも可能である。
【００３２】
本発明は、以下のような形態で実施することもできる。
【００３３】
・図６（ａ）（ｂ）を参照して本発明の他の形態を説明すると、図６（ａ）は機器ケース２１の要部の平面図、図６（ｂ）は図６（ａ）に対する左側面図である。これらの図で示すように機器ケース２１の左側周壁２１ａにスライド溝部３３と、このスライド溝部３３に対して水平方向から連通する水平スライド溝部３３ａとを形成する。そして、漏電安全装置１３を機器ケース２１の収納室２３ａの上部に矢印Ａ３で示すように前面から挿入する。この挿入においては漏電安全装置１３の左右側面に設けた突起部３１，３１のうちの一方（左側）を水平スライド溝部３３ａに入れる。次いで、漏電安全装置１３を矢印Ａ４で示すようにスライド通路部２３ｄ上を下方にスライドさせて漏電安全装置１３の突起部３１をスライド溝部３３内に入れる形態とすることもできる。
【００３４】
・図７を参照して本発明のさらに他の形態を説明すると、漏電安全装置１３から導出された電装線２８を、機器ケース２１の前面にネジ止めした樹脂製の電装線クランプ３９で押え込み固定して当該電装線２８を拘束し、漏電安全装置１３から電装線クランプ３９までの電装線２８を直線状にしてたわみがないようにしている。この形態では、電装線２８の張力で漏電安全装置１３が取り付け位置から上方にスライドして取り外れるのを阻止できる。
【００３５】
・図８を参照して本発明のさらに他の形態を説明すると、漏電安全装置１３から導出された電装線２８を弛みがほとんど無い状態で接続対象部位である電源部１４に接続しても、図７と同様に漏電安全装置１３が取付け位置から外れてしまうことを阻止できる。
【００３６】
・図９を参照して本発明のさらに他の形態を説明すると、この形態においては、遠隔コントローラ１６を接続する端子台２４を、漏電安全装置１３の取付け構造と同様に、端子台２４に設けた突起部４１を制御機器ケース２１に形成した係合溝部４２に左右方向からスライド係合した上で、弾性変形可能な係止爪部４３で固定しておくこともできる。
【図面の簡単な説明】
【００３８】
【図１】本発明の制御機器を備えた温水装置の概略構成図である。
【図２】制御機器の機器ケースの正面図である。
【図３】機器ケースの分解斜視図である。
【図４】（ａ）機器ケースへの漏電安全装置の取り付け途中を示す正面図、（ｂ）その縦断側面図である。
【図５】（ａ）機器ケースへの漏電安全装置の取付け状態を示す正面図、（ｂ）その縦断側面図である。
【図６】（ａ）本発明の他の形態の取り付け構造を示す正面図、（ｂ）その側面図である。
【図７】他のスライド阻止部を備えた機器ケースの正面図である。
【図８】さらに他のスライド阻止部を備えた機器ケースの正面図である。
【図９】本発明を応用した機器ケースの正面図である。
【符号の説明】
【００３９】
１３  漏電安全装置
２１  機器ケース
２３ａ  収納室
２３ｄ  スライド通路部
２５  ブレーカケース
３１  突起部（スライド阻止部）
３３  スライド溝部（スライド阻止部）
【図１】
0004452072.tif 000002
【図２】
0004452072.tif 000003
【図３】
0004452072.tif 000004
【図４】
0004452072.tif 000005
【図５】
0004452072.tif 000006
【図６】
0004452072.tif 000007
【図７】
0004452072.tif 000008
【図８】
0004452072.tif 000009
【図９】
0004452072.tif 000010